(57)【要約】【課題】オイルを吸入側へ効率的に回収し、能力不足状態になることなく適正な運転ができる多室形空気調和機の運転制御方法を提供する。【解決手段】圧縮機１の吐出管１ａと４方弁２間にメイン、サブオイルセパレータ３ａ、３ｂを配し、サブオイルセパレータ３ｂは、電磁２方弁４及び逆止弁５で接続され、メイン、サブオイルセパレータ３ａ、３ｂをキャピラリーチューブ６を介して圧縮機１の吸入管１ｂと接続し、圧縮機１の起動制御中に、電磁２方弁４を開いて吐出ガスをメイン、サブオイルセパレータ３ａ、３ｂに流通させ、圧縮機吐出温度が所定の設定値を上回ると電磁２方弁４を閉じて、吐出ガスをメインオイルセパレータ３ａのみに流すもので、圧縮機１の起動制御中は、冷媒をメイン、サブオイルセパレータ３ａ、３ｂの両方に流すことで、冷媒とオイルを分離し低圧側へ回収し、圧縮機１内のオイルレベルの低下が防げる。【選択図】図１
2010112639.tif 000002
【特許請求の範囲】
【請求項１】
圧縮機と、オイルセパレータと、四方弁と、室外熱交換器と、複数の室内熱交換器とを備えた空気調和機において、前記圧縮機のオイルセパレータはメイン及びサブの少なくとも２個並列に配設するとともに、前記サブオイルセパレータはその前後に電磁２方弁及び逆止弁を備え、かつ、前記メイン及びサブオイルセパレータは減圧装置を介して前記圧縮機の吸入管に接続し、冷房または暖房運転開始時であって前記圧縮機の起動制御中には、前記電磁２方弁を開いて、吐出ガスを前記メイン及びサブオイルセパレータに流通させ、前記圧縮機の吐出温度が所定の設定値を上回ると前記電磁２方弁を閉じて、前記吐出ガスを前記メインオイルセパレータのみに流通させる制御部を備えたことを特徴とする多室形空気調和機。
【請求項２】
圧縮機と、前記圧縮機の吐出圧力を検出する吐出圧力検出装置と、オイルセパレータと、四方弁と、室外熱交換器と、複数の室内熱交換器とを備えた空気調和機において、前記圧縮機のオイルセパレータはメイン及びサブの少なくとも２個並列に配設するとともに、前記サブオイルセパレータはその前後に電磁２方弁及び逆止弁を備え、かつ、前記メイン及び前記サブオイルセパレータは減圧装置を介して前記圧縮機の吸入管に接続し、冷房または暖房運転開始時であって前記圧縮機の起動制御中は、前記電磁２方弁を開いて吐出ガスを前記メイン及び前記サブオイルセパレータに流通させ、前記吐出圧力検出装置が検出した吐出圧力が所定の設定値を上回ると、前記電磁２方弁を閉じて、前記吐出ガスを前記メインオイルセパレータのみに流通させる制御部を備えたことを特徴とする多室形空気調和機。
【請求項３】
圧縮機と、オイルセパレータと、四方弁と、室外熱交換器と、複数の室内熱交換器と、冷媒の凝縮温度検出装置とを備えた空気調和機において、前記圧縮機のオイルセパレータはメイン及びサブの少なくとも２個並列に配設するとともに、前記サブオイルセパレータはその前後に電磁２方弁及び逆止弁を備え、かつ、前記メイン及び前記サブオイルセパレータは減圧装置を介して前記圧縮機の吸入管に接続し、冷房または暖房運転開始時であって前記圧縮機の起動制御中は、前記電磁２方弁を開いて吐出ガスを前記メイン及び前記サブオイルセパレータに流通させ、前記凝縮温度検出装置が検出した凝縮温度が所定の設定値を上回ると、前記電磁２方弁を閉じて、前記吐出ガスを前記メインオイルセパレータのみに流通させる制御部を備えたことを特徴とする多室形空気調和機。
【請求項４】
圧縮機と、前記圧縮機の吐出過熱度を検出する吐出過熱度検出装置と、オイルセパレータと、四方弁と、室外熱交換器と、複数の室内熱交換器とを備えた空気調和機において、前記圧縮機のオイルセパレータはメイン及びサブの少なくとも２個並列に配設するとともに、前記サブオイルセパレータはその前後に電磁２方弁及び逆止弁を備え、かつ、前記メイン及び前記サブオイルセパレータは減圧装置を介して前記圧縮機の吸入管に接続し、冷房または暖房運転開始時であって前記圧縮機の起動制御中は、前記電磁２方弁を開いて吐出ガスを前記メイン及び前記サブオイルセパレータに流通させ、前記圧縮機の吐出過熱度が所定の設定値を上回ると、前記電磁２方弁を閉じて、前記吐出ガスを前記メインオイルセパレータのみに流通させる制御部を備えたことを特徴とする多室形空気調和機。
【請求項５】
圧縮機と、オイルセパレータと、四方弁と、室外熱交換器と、複数の室内熱交換器と、外気温度検出装置とを備えた空気調和機において、前記圧縮機のオイルセパレータはメイン及びサブの少なくとも２個並列に配設するとともに、前記サブオイルセパレータはその前後に電磁２方弁及び逆止弁を備え、かつ、前記メイン及び前記サブオイルセパレータは減圧装置を介して前記圧縮機の吸入管に接続し、冷房または暖房運転開始時であって前記圧縮機の起動制御中は、前記電磁２方弁を開いて吐出ガスを前記メイン及び前記サブオイルセパレータに流通させ、前記外気温度検出装置が検出した外気温度が所定の設定値を上回
ると、前記電磁２方弁を閉じて、前記吐出ガスを前記メインオイルセパレータのみに流通させる制御部を備えたことを特徴とする多室形空気調和機。
【発明の詳細な説明】
【技術分野】
【０００１】
本発明は、多室形空気調和機の運転制御方法に関するものである。
【背景技術】
【０００２】
従来のこの種の多室形空気調和機の運転制御方法について、図１７に基づいて説明する。図１７は、従来の多室形空気調和機の運転制御方法を採用した多室形空気調和機の冷凍サイクル図で、５１は圧縮機、５２は４方弁、５４は室外熱交換器、５５は室外送風機、５６は外気温度センサー、５７は膨張弁、５８は室内熱交換器、５９は室内送風機、６０は室内配管温度センサー、６１は室内吸込み温度センサーである。
【０００３】
また、オイルセパレータ５３が、圧縮機５１の吐出管５１ａと吸入管５１ｂの間にキャピラリーチューブ６２を介して接続されている。ここで圧縮機５１が起動するとオイルは、冷媒と共に吐出されるが、オイルセパレータ５３内で冷媒とオイルに分離され、オイルは、キャピラリーチューブ６２を介して吸入管５１ｂへ回収される。オイルはさらに吸入管５１ｂからアキュームレータ６３を通過し最終的に圧縮機５１のシェル内に回収されるため圧縮機５１のシェル内の油面低下を防止することができるものであった（例えば、特許文献１参照）。
【特許文献１】特開２００２−３１３８７号公報
【発明の開示】
【発明が解決しようとする課題】
【０００４】
しかしながら、上記従来の多室形空気調和機では、吐出管５１ａと吸入管５１ｂは、キャピラリーチューブ６２を介して接続されているものの、起動時等は冷媒とオイルとが相互に溶けあっていて分離し難く、単一のオイルセパレータのみでは冷媒とオイルとが十分に分離できず、オイルだけでなく冷媒も吐出管５１ａから吸入管５１ｂの方へ流れてしまう。このため、能力の損失が大きく、冷房または暖房能力が不足してユーザーに不快感を与えてしまうという課題があった。
【０００５】
本発明は前記従来の課題を解決するもので、能力が低下することなく、オイルのみを吸入管側へ効率的に回収することができ、能力不足状態になることなく適正な運転が可能となる多室形空気調和機を提供することを目的とする。
【課題を解決するための手段】
【０００６】
前記従来の課題を解決するために、本発明の多室形空気調和機は、圧縮機と、オイルセパレータと、四方弁と、室外熱交換器と、複数の室内熱交換器とを備えた空気調和機において、前記圧縮機のオイルセパレータはメイン及びサブの少なくとも２個並列に配設するとともに、前記サブオイルセパレータはその前後に電磁２方弁及び逆止弁を備え、かつ、前記メイン及びサブオイルセパレータは減圧装置を介して前記圧縮機の吸入管に接続し、冷房または暖房運転開始時であって前記圧縮機の起動制御中には、前記電磁２方弁を開いて、吐出ガスを前記メイン及びサブオイルセパレータに流通させ、前記圧縮機の吐出温度が所定の設定値を上回ると前記電磁２方弁を閉じて、前記吐出ガスを前記メインオイルセパレータのみに流通させる制御部を備えたもので、この構成をなすことにより、冷房または暖房運転開始時でしかも起動制御中に圧縮機が低い周波数で運転しているときに、圧縮機の吐出温度が所定の設定値に達するまでは前記電磁２方弁を開き、冷媒をメインおよびサブオイルセパレータの両方に流入させることで、冷媒とオイルとを分離する能力を十分に増大させて分離したオイルを低圧側へ回収し圧縮機内部のオイルレベルの低下を防ぎ、起動制御終了後に圧縮機の吐出温度が所定の設定値に達した後は、電磁２方弁を閉じて、
作動するオイルセパレータをメインオイルセパレータのみにしてサブオイルセパレータに冷媒が流れないようにすることで、必要時にのみオイルセパレータの能力を増大させ、不要時には減少させて最適なオイルセパレータの能力を発揮させて、冷暖房能力を最大限に発揮することができる。
【発明の効果】
【０００７】
本発明の多室形空気調和機は、冷房または暖房運転開始時圧縮機のオイルレベルの低下を無くし、しかも冷暖房能力の低下を防ぐことができる。
【発明を実施するための最良の形態】
【０００８】
第１の発明は、圧縮機と、オイルセパレータと、四方弁と、室外熱交換器と、複数の室内熱交換器とを備えた空気調和機において、前記圧縮機のオイルセパレータはメイン及びサブの少なくとも２個並列に配設するとともに、前記サブオイルセパレータはその前後に電磁２方弁及び逆止弁を備え、かつ、前記メイン及びサブオイルセパレータは減圧装置を介して前記圧縮機の吸入管に接続し、冷房または暖房運転開始時であって前記圧縮機の起動制御中には、前記電磁２方弁を開いて、吐出ガスを前記メイン及びサブオイルセパレータに流通させ、前記圧縮機の吐出温度が所定の設定値を上回ると前記電磁２方弁を閉じて、前記吐出ガスを前記メインオイルセパレータのみに流通させる制御部を備えたもので、この構成をなすことにより、冷房または暖房運転開始時でしかも起動制御中に、圧縮機が低い周波数で運転しているときに、圧縮機の吐出温度が所定の設定値に達するまでは、前記電磁２方弁を開いて、冷媒をメインおよびサブオイルセパレータの両方に流入させることで、冷媒とオイルとを分離する能力を十分に発揮させて冷媒とオイルを分離し、低圧側へ回収することで圧縮機内部のオイルレベルの低下を防ぎ、起動制御終了後に圧縮機の吐出温度が所定の設定値に達した後は、電磁２方弁を閉じて、冷媒がサブオイルセパレータに流れないようにすることで、能力を最大限に発揮し適正な冷暖房運転をすることができる。
【０００９】
第２の発明は、圧縮機と、前記圧縮機の吐出圧力を検出する吐出圧力検出装置と、オイルセパレータと、四方弁と、室外熱交換器と、複数の室内熱交換器とを備えた空気調和機において、前記圧縮機のオイルセパレータはメイン及びサブの少なくとも２個並列に配設するとともに、前記サブオイルセパレータはその前後に電磁２方弁及び逆止弁を備え、かつ、前記メイン及び前記サブオイルセパレータは減圧装置を介して前記圧縮機の吸入管に接続し、冷房または暖房運転開始時であって前記圧縮機の起動制御中は、前記電磁２方弁を開いて吐出ガスを前記メイン及び前記サブオイルセパレータに流通させ、前記吐出圧力検出装置が検出した吐出圧力が所定の設定値を上回ると、前記電磁２方弁を閉じて、前記吐出ガスを前記メインオイルセパレータのみに流通させる制御部を備えたもので、この構成をなすことにより、冷房または暖房運転開始時でしかも起動制御中に、圧縮機が低い周波数で運転しているときに、圧縮機の吐出圧力が所定の設定値に達するまでは、前記電磁２方弁を開いて、冷媒をメインおよびサブオイルセパレータの両方に流入させることで、冷媒とオイルとを分離する能力を十分に発揮させて冷媒とオイルを分離し、低圧側へ回収することで圧縮機内部のオイルレベルの低下を防ぎ、起動制御終了後に圧縮機の吐出圧力が所定の設定値に達した後は、電磁２方弁を閉じて、冷媒がサブオイルセパレータに流れないようにすることで、能力を最大限に発揮し適正な冷暖房運転をすることができる。
【００１０】
第３の発明は、圧縮機と、オイルセパレータと、四方弁と、室外熱交換器と、複数の室内熱交換器と、冷媒の凝縮温度検出装置とを備えた空気調和機において、前記圧縮機のオイルセパレータはメイン及びサブの少なくとも２個並列に配設するとともに、前記サブオイルセパレータはその前後に電磁２方弁及び逆止弁を備え、かつ、前記メイン及び前記サブオイルセパレータは減圧装置を介して前記圧縮機の吸入管に接続し、冷房または暖房運転開始時であって前記圧縮機の起動制御中は、前記電磁２方弁を開いて吐出ガスを前記メ
イン及び前記サブオイルセパレータに流通させ、前記凝縮温度検出装置が検出した凝縮温度が所定の設定値を上回ると、前記電磁２方弁を閉じて、前記吐出ガスを前記メインオイルセパレータのみに流通させる制御部を備えたもので、この構成をなすことにより、冷房または暖房運転開始時でしかも起動制御中に、圧縮機が低い周波数で運転しているときに、冷媒の凝縮温度が所定の設定値に達するまでは、前記電磁２方弁を開いて、冷媒をメインおよびサブオイルセパレータの両方に流入させることで、冷媒とオイルとを分離する能力を十分に発揮させて冷媒とオイルを分離し、低圧側へ回収することで圧縮機内部のオイルレベルの低下を防ぎ、起動制御終了後に冷媒の凝縮温度が所定の設定値に達した後は、電磁２方弁を閉じて、冷媒がサブオイルセパレータに流れないようにすることで、能力を最大限に発揮し適正な冷暖房運転をすることができる。
【００１１】
第４の発明は、圧縮機と、前記圧縮機の吐出過熱度を検出する吐出過熱度検出装置と、オイルセパレータと、四方弁と、室外熱交換器と、複数の室内熱交換器とを備えた空気調和機において、前記圧縮機のオイルセパレータはメイン及びサブの少なくとも２個並列に配設するとともに、前記サブオイルセパレータはその前後に電磁２方弁及び逆止弁を備え、かつ、前記メイン及び前記サブオイルセパレータは減圧装置を介して前記圧縮機の吸入管に接続し、冷房または暖房運転開始時であって前記圧縮機の起動制御中は、前記電磁２方弁を開いて吐出ガスを前記メイン及び前記サブオイルセパレータに流通させ、前記圧縮機の吐出過熱度が所定の設定値を上回ると、前記電磁２方弁を閉じて、前記吐出ガスを前記メインオイルセパレータのみに流通させる制御部を備えたもので、この構成をなすことにより、冷房または暖房運転開始時でしかも起動制御中に、圧縮機が低い周波数で運転しているときに、圧縮機の吐出過熱度が所定の設定値に達するまでは、前記電磁２方弁を開いて、冷媒をメインおよびサブオイルセパレータの両方に流入させることで、冷媒とオイルとを分離する能力を十分に発揮させて冷媒とオイルを分離し、低圧側へ回収することで圧縮機内部のオイルレベルの低下を防ぎ、起動制御終了後に圧縮機の吐出過熱度が所定の設定値に達した後は、電磁２方弁を閉じて、冷媒がサブオイルセパレータに流れないようにすることで、能力を最大限に発揮し適正な冷暖房運転をすることができる。
【００１２】
第５の発明は、圧縮機と、オイルセパレータと、四方弁と、室外熱交換器と、複数の室内熱交換器と、外気温度検出装置とを備えた空気調和機において、前記圧縮機のオイルセパレータはメイン及びサブの少なくとも２個並列に配設するとともに、前記サブオイルセパレータはその前後に電磁２方弁及び逆止弁を備え、かつ、前記メイン及び前記サブオイルセパレータは減圧装置を介して前記圧縮機の吸入管に接続し、冷房または暖房運転開始時であって前記圧縮機の起動制御中は、前記電磁２方弁を開いて吐出ガスを前記メイン及び前記サブオイルセパレータに流通させ、前記外気温度検出装置が検出した外気温度が所定の設定値を上回ると、前記電磁２方弁を閉じて、前記吐出ガスを前記メインオイルセパレータのみに流通させる制御部を備えたもので、この構成をなすことにより、冷房または暖房運転開始時でしかも起動制御中に、圧縮機が低い周波数で運転しているときに、外気温が所定の設定値に達するまでは、前記電磁２方弁を開いて、冷媒をメインおよびサブオイルセパレータの両方に流入させることで、冷媒とオイルとを分離する能力を十分に発揮させて冷媒とオイルを分離し、低圧側へ回収することで圧縮機内部のオイルレベルの低下を防ぎ、起動制御終了後に外気温が所定の設定値に達した後は、電磁２方弁を閉じて、冷媒がサブオイルセパレータに流れないようにすることで、能力を最大限に発揮し適正な冷暖房運転をすることができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における多室形空気調和機の冷凍サイクル図である
。
【００１５】
図１において、本実施の形態における多室形空気調和機は、１台の室外機（図示せず）と、前記室外機に接続された複数の室内機（図示せず）から構成され（図１は、室内機が１台の場合）、前記室外機は、能力可変型の圧縮機１と、４方弁２と、圧縮機１と４方弁２との間に配されたメインオイルセパレータ３ａとサブオイルセパレータ３ｂと、電磁２方弁４と、逆止弁５と、オイル戻し用で減圧装置でもあるキャピラリーチューブ６と、室外熱交換器７と、室外送風機８と、外気温度センサー９と、メイン膨張弁１０とを内蔵し、前記室内機は、室内熱交換器１１と、室内送風機１２と、室内配管温度センサー１３と、室内吸込み温度センサー１４とを内蔵している。
【００１６】
メインオイルセパレータ３ａは、圧縮機１の吐出管１ａと吸入管１ｂの間に、キャピラリーチューブ６を介して接続されている。またサブオイルセパレータ３ｂは、その前後に４方弁２と電磁２方弁４とを有しており、電磁２方弁４を介して圧縮機１の吐出管１ａと吸入管１ｂの間に、メインオイルセパレータ３ａと並行に接続されている。
【００１７】
図２は、本実施の形態における多室形空気調和機の制御ブロック図である。
【００１８】
図２において、３１は冷房、暖房その他の運転モードを検出する運転モード検出装置、３２は圧縮機運転周波数検出装置、３３はメイン膨張弁１０の開度を検出する膨張弁開度検出装置、３４は膨張弁開度記憶装置、３５は圧縮機吐出温度検出装置、３６は圧縮機吐出温度記憶装置、３７はサブオイルセパレータ３ｂ用の膨張弁駆動装置、３００は制御部である。
【００１９】
以下この制御ブロック図に基づく多室形空気調和機の動作、作用を図３のフローチャート及び図４のタイムチャートを用いて説明する。
【００２０】
制御部３００は、冷房または暖房運転開始時でしかも起動制御中、圧縮機周波数は、起動周波数Ｈｚ１で運転している。このときサブオイルセパレータ３ｂ用の電磁２方弁４を開いている。これは寝込み起動時は、冷媒に溶け込んでいるオイルの量が多くメインオイルセパレータ３ａのみでは、冷媒とオイルの分離は不十分と判断し、サブオイルセパレータ３ｂへ冷媒を流し、この両オイルセパレータ３ａ、３ｂを利用して冷媒とオイルとを分離する能力を十分に発揮させて冷媒とオイルを分離させるためである。これによって、冷媒とオイルを効率的に分離してオイルを低圧側へ回収することができ、圧縮機１内部の油面の低下を防ぐことができる。
【００２１】
次に、例え起動制御中であっても、制御部３００は、圧縮機吐出温度が上昇し設定値Ｔｄ１に達すると、電磁２方弁４を閉じ、サブオイルセパレータ３ｂに冷媒が流れないようにする。これは、冷媒の温度が上昇するとオイルは冷媒と分離し易くなるためであり、メインオイルセパレータ３ａだけでも、オイルは低圧側へ効率よく回収することが出来る。これによりオイルレベルの低下を防ぐと同時に、冷暖房能力を効率よく発揮することができる。
【００２２】
（実施の形態２）
図５は本発明の第２の実施の形態における多室形空気調和機の制御ブロック図、図６は同多室形空気調和機の運転制御を示すフローチャート、図７は同多室形空気調和機の運転制御を示すタイムチャートである。なお、上記実施の形態１における多室形空気調和機と同じ部分については、同じ符号を用いてその説明を省略する。
【００２３】
図５〜図７において、３８は圧縮機１の吐出圧力を検出する吐出圧力検出装置、３９は
吐出圧力記憶装置であり、３００が制御部である。これらの図を用いてサブオイルセパレータ３ｂの動作を説明する。制御部３００は、冷房または暖房運転開始時でしかも起動制御中、圧縮機を起動周波数Ｈｚ１で運転している。このときサブオイルセパレータ３ｂ用の電磁弁２方弁４を開いている。これは、実施の形態１と同様の理由によるもので、寝込み起動時は冷媒に溶け込んでいるオイルの量が多くメインオイルセパレータ３ａのみでは、冷媒とオイルの分離は不十分と判断し、サブオイルセパレータ３ｂへも冷媒を流し、冷媒とオイルとを分離する能力を十分に発揮させて冷媒とオイルを効率的に分離しオイルを低圧側へ回収することで、圧縮機１内部の油面の低下を防ぐためである。
【００２４】
次に、例え起動制御中であっても、制御部３００は、吐出圧力検出装置３８で検出された圧縮機１の吐出圧力が上昇し設定値Ｐｄ１に達すると、前記電磁弁２方弁４を閉じサブオイルセパレータに冷媒が流れないようにする。これは冷媒の圧力が上昇するとオイルは冷媒と分離し易くなるため、メインオイルセパレータ３ａだけでもオイルは低圧側へ効率よく回収することが出来るためである。これによりオイルレベルの低下を防ぐと同時に、冷暖房能力を効率よく発揮することができる。
【００２５】
（実施の形態３）
図８は本発明の第３の実施の形態における多室形空気調和機の制御ブロック図、図９は同多室形空気調和機の運転制御を示すフローチャート、図１０は同多室形空気調和機の運転制御を示すタイムチャートである。なお、上記実施の形態における多室形空気調和機と同じ部分については、同じ符号を用いてその説明を省略する。
【００２６】
図８〜１０において、４０は冷媒の凝縮温度を検出する凝縮温度検出装置、４１は凝縮温度記憶装置であり、３００が制御部である。制御部３００は冷房または暖房運転開始時でしかも起動制御中、圧縮機を起動周波数Ｈｚ１で運転している。このときサブオイルセパレータ３ｂ用の電磁２方弁４を開いている。これもこれまでの実施の形態と同様の理由によるもので、寝込み起動時は、冷媒に溶け込んでいるオイルの量が多くメインオイルセパレータ３ａのみでは、冷媒とオイルの分離は不十分と判断し、サブオイルセパレータ３ｂへ冷媒を流し、冷媒とオイルとを分離する能力を十分に発揮させて冷媒とオイルを効率的に分離しオイルを低圧側へ回収することで、圧縮機１内部の油面の低下を防ぐためである。
【００２７】
次に、例え起動制御中であっても、制御部３００は、凝縮温度検出装置４０で検出された冷媒の凝縮温度が上昇し設定値Ｔｈｐ１に達すると、前記電磁２方弁４を閉じサブオイルセパレータ３ｂに冷媒が流れないようにする。ここで冷媒の凝縮温度は、吐出圧力と等しいと仮定すると、吐出圧力が上昇するとオイルは冷媒と分離し易くなるため、メインオイルセパレータ３ａだけでもオイルは低圧側へ効率よく回収することが出来る。これによりオイルレベルの低下を防ぐと同時に、冷暖房能力を効率よく発揮することができる。
【００２８】
（実施の形態４）
図１１は本発明の第４の実施の形態における多室形空気調和機の制御ブロック図、図１２は同多室形空気調和機の運転制御を示すフローチャート、図１３は同多室形空気調和機の運転制御を示すタイムチャートである。なお、上記実施の形態における多室形空気調和機と同じ部分については、同じ符号を用いてその説明を省略する。
【００２９】
図１１〜１３において、４２は、圧縮機１の吐出過熱度を検出する吐出過熱度検出装置、４３は吐出過熱度記憶装置であり、３００は制御部である。制御部３００は、冷房または暖房運転開始時でしかも起動制御中、圧縮機を起動周波数Ｈｚ１で運転している。
【００３０】
このときサブオイルセパレータ３ｂ用の電磁２方弁４を開いている。これもこれまでの
実施の形態と同様、寝込み起動時は冷媒に溶け込んでいるオイルの量が多くメインオイルセパレータ３ａのみでは、冷媒とオイルの分離は不十分と判断し、サブオイルセパレータ３ｂへ冷媒を流し、冷媒とオイルとを分離する能力を十分に発揮させて冷媒とオイルを効率的に分離しオイルを低圧側へ回収することで、圧縮機１内部の油面の低下を防ぐためである。
【００３１】
次に、例え起動制御中であっても、制御部３００は、吐出過熱度検出装置４２で検出された圧縮機１の吐出過熱度が上昇し設定値ＳＨ１に達すると、前記電磁２方弁４を閉じサブオイルセパレータ３ｂに冷媒が流れないようにする。ここで圧縮機１の吐出過熱度が高いと吐出ガスはすでにオイルと分離されていると判断し、メインオイルセパレータ３ａだけでもオイルは低圧側へ効率よく回収することが出来るためである。これによりオイルレベルの低下を防ぐと同時に、冷暖房能力を効率よく発揮することができる。
【００３２】
（実施の形態５）
図１４は本発明の第５の実施の形態における多室形空気調和機の制御ブロック図、図１５は同多室形空気調和機の運転制御を示すフローチャート、図１６は同多室形空気調和機の運転制御を示すタイムチャートである。なお、上記実施の形態における多室形空気調和機と同じ部分については、同じ符号を用いてその説明を省略する。
【００３３】
図１４〜１６において、４４は外気温度を検出する外気温度検出装置、４５は外気温度記憶装置であり、３００が制御部である。制御部３００は、冷房または暖房運転開始時でしかも起動制御中、圧縮機を起動周波数Ｈｚ１で運転している。
【００３４】
このときサブオイルセパレータ３ｂ用の電磁２方弁４を開いている。これもこれまでの実施の形態と同様、寝込み起動時は、冷媒に溶け込んでいるオイルの量が多くメインオイルセパレータ３ａのみでは冷媒とオイルの分離は不十分と判断し、サブオイルセパレータ３ｂへ冷媒を流し冷媒とオイルとを分離する能力を十分に発揮させて冷媒とオイルを効率的に分離しオイルを低圧側へ回収することで、圧縮機１内部の油面の低下を防ぐためである。
【００３５】
次に、例え起動制御中であっても、制御部３００は、外気温度検出装置４４で検出された外気温が上昇し設定値Ｔｏ１に達すると、前記電磁２方弁４を閉じ、サブオイルセパレータ３ｂに冷媒が流れないようにする。ここで外気温度が高いと吐出圧力が上昇し吐出ガスはすでにオイルと分離されていると判断し、メインオイルセパレータ３ａだけでもオイルは低圧側へ効率よく回収することが出来るためである。これによりオイルレベルの低下を防ぐと同時に、冷暖房能力を効率よく発揮することができる。
【産業上の利用可能性】
【００３６】
以上のように、本発明にかかる多室形空気調和機は、冷房または暖房能力を低下させることなく圧縮機オイルを効率的に回収することができるので、業務用、店舗用多室形空気調和機のオイル回収制御等の用途にも適用できる。
【図面の簡単な説明】
【００３７】
【図１】本発明の第１の実施の形態における多室形空気調和機の冷凍サイクル図
【図２】同多室形空気調和機の運転制御を示す制御ブロック図
【図３】同多室形空気調和機の運転制御を示すフローチャート
【図４】同多室形空気調和機の運転制御を示すタイムチャート
【図５】本発明の第２の実施の形態における多室形空気調和機の制御ブロック図
【図６】同多室形空気調和機の運転制御を示すフローチャート
【図７】同多室形空気調和機の運転制御を示すタイムチャート
【図８】本発明の第３の実施の形態における多室形空気調和機の制御ブロック図
【図９】同多室形空気調和機の運転制御を示すフローチャート
【図１０】同多室形空気調和機の運転制御を示すタイムチャート
【図１１】本発明の第４の実施の形態における多室形空気調和機の制御ブロック図
【図１２】同多室形空気調和機の運転制御を示すフローチャート
【図１３】同多室形空気調和機の運転制御を示すタイムチャート
【図１４】本発明の第５の実施の形態における多室形空気調和機の制御ブロック図
【図１５】同多室形空気調和機の運転制御を示すフローチャート
【図１６】同多室形空気調和機の運転制御を示すタイムチャート
【図１７】従来の多室形空気調和機の冷凍サイクル図
【符号の説明】
【００３８】
１  圧縮機
２  ４方弁
３ａ  メインオイルセパレータ
３ｂ  サブオイルセパレータ
４  電磁２方弁
５  逆止弁
６  キャピラリーチューブ（減圧装置）
７  室外熱交換器
８  室外送風機
９  外気温度センサー
１０  メイン膨張弁
３５  圧縮機吐出温度検出装置
３６  圧縮機吐出温度記憶装置
３８  吐出圧力検出装置
３９  吐出圧力記憶装置
４０  凝縮温度検出装置
４１  凝縮温度記憶装置
４２  吐出過熱度検出装置
４３  吐出過熱度記憶装置
４４  外気温度検出装置
４５  外気温度記憶装置
【図１】
2010112639.tif 000003
【図２】
2010112639.tif 000004
【図３】
2010112639.tif 000005
【図４】
2010112639.tif 000006
【図５】
2010112639.tif 000007
【図６】
2010112639.tif 000008
【図７】
2010112639.tif 000009
【図８】
2010112639.tif 000010
【図９】
2010112639.tif 000011
【図１０】
2010112639.tif 000012
【図１１】
2010112639.tif 000013
【図１２】
2010112639.tif 000014
【図１３】
2010112639.tif 000015
【図１４】
2010112639.tif 000016
【図１５】
2010112639.tif 000017
【図１６】
2010112639.tif 000018
【図１７】
2010112639.tif 000019